(57)【要約】      （修正有）【課題】遠投性能に加えて、任意の水深におけるシャクリ操作性、魚を浮かせて取りこむ操作性などの操作性能を兼ね備え、根掛りや摩擦劣化などによる釣り糸切れの不安を軽減し得る簡単な構造の投げ釣り糸上の釣り具及びその製造容易な製法を提供する。【解決手段】投げ浮子1aの投げ釣り糸上の当該釣り具には、その胴体の所望経路に釣り糸などを中通し得る樹脂管7aの中通し部材が挿着、又は前記中通し部材に中通し得る中通し金具9aが挿通され、前記中通し部材は内面に滑らかな潤滑面を有する樹脂管とし、外面にはネジ溝やヤスリ面のような粗面を有し、前記中通し金具はステンレス線、形状記憶合金線、タングステン線などの金属線を介することを特徴とする。【選択図】図１
2004275181.tif 000002
【特許請求の範囲】
【請求項１】
投げ浮子、中間錘、擬似餌、撒餌籠などの釣り具において、少なくとも当該釣り具は釣り糸などを中通し得る樹脂管の中通し部材を挿着した胴体、又は前記中通し部材に中通し得る中通し金具を挿通した胴体を有し、前記中通し部材は内面に滑らかな潤滑面を有するフッ素樹脂、ナイロン樹脂、ポリプロピレン樹脂、ポリエチレン樹脂などの樹脂管とし、外面にはネジ溝やヤスリ面のような粗面を有し、前記中通し金具は直線状のステンレス線、形状記憶合金線、タングステン線などの金属線を介することを特徴とする投げ釣り糸上の釣り具。
【請求項２】
浮力を有する棒状の投げ浮子の胴体には浮力を有する発泡材、中空成形樹脂、木材などから成る浮力部材と鉛などから成る金属錘を具備し、その胴体の軸中心に軟質の樹脂管を数ｍｍ突出させた単管、又は前記軟質の樹脂管と硬質の樹脂管と二重管にした中通し部材を挿着したことを特徴とする請求項１に記載する投げ釣り糸上の釣り具。
【請求項３】
小魚などを模した疑似餌の胴体は金属、木材、樹脂などの一種、又は複数種から成り、その胴体の厚肉部分の所望経路に樹脂管を数ｍｍ突出させて挿着したことを特徴とする請求項１に記載する投げ釣り糸上の釣り具。
【請求項４】
沈下力を有する中間錘、撒餌籠の胴体の挿通路には金属線を挿通した中通し金具を具備し、前記中通し金具は投げ浮子の樹脂管の内径より小さくした釣り糸の連結部と前記挿通路の内径より大きくした張り出し金具の連結部を有することを特徴とする請求項１、及び請求項２に記載する投げ釣り糸上の釣り具。
【請求項５】
投げ浮子、中間錘、擬似餌、撒餌籠などの釣り具の製法において、少なくとも当該釣り具の胴体は中通し部材を所望の経路で挿入し得る挿着路、又は中通し金具を挿通し得る挿通路を設ける鋳造成形、樹脂成形、プレス成形などの成形工程と中通し部材の外面にネジ溝加工やヤスリ加工などで粗面を形成して前記挿着路に中通し部材をネジ止めや接着などで挿着する挿着工程、又は中通し金具の金属線を前記挿通路に挿通して組み立てる挿通工程を経て製造し、要すれば防水処理、塗装などの仕上げ工程を経て製造することを特徴とする投げ釣り糸上の釣り具の製法。
【発明の詳細な説明】
【技術分野】
【０００１】
本発明は投げ釣り用釣り具に関し、特に、釣り糸などを中通し得る投げ浮子、擬似餌、又は前記投げ浮子に中通し得る中通し金具を挿通した中間錘、撒餌籠などの投げ釣り糸上の釣り具及びその製法に関する。
【背景技術】
【０００２】
一般に投げ釣りは海岸、湖岸、川岸などの沿岸において、釣り具を遠方まで投げて広範囲に釣ることが手軽にでき、大衆に広く普及している。一般に投げ釣り糸上の釣り具は投げ錘付テンビンによる餌釣り仕掛け、小魚などを模して波状に動かす胴体に釣り針を有するイカ釣りエギや疑似餌あるいはルアー、撒餌で魚を集める撒餌籠などの各種が周知されている。そして、釣りの成果はそれらの釣り具の投入場所、時間帯、餌などの選定に加え、その投入から魚を誘ったり、掛かった魚を確実に取りこむまでの釣り具の性能でも左右される。
【０００３】
特に、投げる重量が数１０ｇの軽い釣り具だけで遠投をする場合は、１００ｍ前後を狙う遠投性は得難い。従来は１００ｍ前後の遠投をするために釣り具の重量を例えば６０ｇ以上のような重いものにするか、又は道糸と呼ばれる釣り糸をできるだけ細くする手段がとられている。しかし、従来の重い釣り具は水底の岩石や藻類などへ根掛りし易かった。また、細い釣り糸は激しく抵抗する大型魚や浮遊物に掛かった場合などに切れたり、釣り針が外れたりする場合も少なくなかった。よって、釣りの成果を向上させるために、軽い釣り具や切れ難い太さの釣り糸でも遠投でき、魚を効果的に誘うシャクリ操作性や摩擦による釣り糸の劣化が少なく、かつ釣り針が外れ難い性能の釣り具が期待されている。
【０００４】
以下、従来の釣り具関連技術について説明する。従来の浮子には浮子胴体に釣り糸を挿通するフッ素樹脂パイプ部材の両端を漏斗状に成形して固定した浮子（例えば、特許文献１参照。）などは釣り糸の劣化防止は期待できるが、１００ｍ前後の遠投性、及び中間錘、疑似餌、撒餌籠などとの適合性は考慮されていない。また、投げ釣り糸上の釣り具で最も一般に周知されている投げ錘付テンビンやテンビンに取付けられた可撓性を有する沈下浮子（例えば、特許文献２参照。）などは釣り針仕掛けがからみ難く、根掛りの軽減が期待できるが、これらも任意の水深における魚を誘うシャクリ操作性、魚を浮かせる取りこみ性、釣り糸の劣化防止などの本来の投げ釣りに期待されている性能には不充分である。
【０００５】
また、従来の疑似餌関連の例では釣り針を備えた胴体にライン挿通孔を備え、胴体を遊動させるもの（例えば、特許文献３参照。）や胴体から釣り針が離脱して遊動し、釣り針が外れ難く釣果の向上が期待できるもの（例えば、特許文献４参照。）などがあるが、これらも１００ｍ前後の遠投性や水底の藻類などへの根掛りなどに対する本来の投げ釣りに期待されている性能には不充分である。
【０００６】
さらに、従来の撒餌籠には釣り糸を中通しするガイド管を備え、籠本体の上下が該ガイド管に固定された支持部材となり、魚が掛かった場合の引き力が籠本体にかからないもの（例えば、特許文献５参照。）なども開示されているが、これらも１００ｍ前後の遠投性や任意の水深における魚を誘うシャクリ操作性、魚を浮かせる取りこみ性、及び釣り糸の劣化防止などの本来の投げ釣りに期待されている性能は考慮されていない。
【特許文献１】２００１−３０９７３９号公報
【特許文献２】２０００−１７５６０５号公報
【特許文献３】２００２−２３３２７０号公報
【特許文献４】Ｗ０９７／４５００７号公報
【特許文献５】実開平５−２１６７４号公報
【発明の開示】
【発明が解決しようとする課題】
【０００７】
本発明は従来の軽い釣り具だけでは得難い１００ｍ前後の遠投性能と任意の水深における集中的なシャクリ操作性能を兼ね備え、釣り糸の摩擦劣化や根掛りなどによる釣り糸切れ、魚を取りこむまでの釣り針外れなどの不安を軽減して、本来の投げ釣りに期待されている性能を最大限に発揮するための簡単な構造と製造し易い釣り具を提供するのが主要な課題である。
【課題を解決するための手段】
【０００８】
本発明の釣り具は従来の性能不足や不安を軽減するために、当該釣り具の胴体に釣り糸などを中通しする内面に滑らかな潤滑面を有するフッ素樹脂、ナイロン樹脂、ポリプロピレン樹脂、ポリエチレン樹脂などの樹脂管の中通し部材、又は前記中通し部材に中通し得る直線状のステンレス線、形状記憶合金線、タングステン線などの金属線を介する中通し金具を具備することを主要な特徴とする。
【０００９】
前記中通し部材は投げ浮子、擬似餌などの釣り具の胴体に所望された経路に挿着する。前記中通し部材は内径が１ｍｍないし６ｍｍ程度の軟質の樹脂管の単管、又はその軟質の樹脂管とガラス繊維や炭素繊維をパイプ状に樹脂成形した複合管や硬質塩化ビニル樹脂、アクリル樹脂などの硬質の樹脂管と二重管にし、内面に釣り糸や金具などとの摩擦が小さい滑らかな潤滑面を有する。さらに、前記中通し部材の外面をネジ溝やヤスリ面などのように粗面化し、両端を釣り具の胴体より数ｍｍ突出させて挿着し、釣り糸を案内し易くする。
【００１０】
前記中通し金具は中間錘、撒餌籠などの釣り具の胴体の挿通路に挿通されたステンレス線、形状記憶合金線、タングステン線などの金属線を介する金具であり、その連結部には釣り糸と張り出し金具や釣り針仕掛けを連結する。そして、中通し金具の釣り糸の連結部は前述の投げ浮子の樹脂管の内径より小さくし、張り出し金具の連結部は前記挿通路内径より大きくする。また、中通し金具の金属線は張り出し金具より太く長くし、張り出し金具は釣り針仕掛けがからみ難い弓形形状に張り出させる。
【００１１】
本発明の当該釣り具の重量や大きさは使用する投げ竿や釣り糸の錘負荷に最適な範囲から選定して組合せる。例えば、投げ浮子の重量は沈下する中間錘、擬似餌、撒餌籠、釣り針仕掛けなどの重量より約三倍以上の重さにする。
【００１２】
棒状の投げ浮子は浮力を有する発泡スチロール、発泡ウレタン、発泡ポリエチレン、スポンジゴムなどの発泡材、中空成形樹脂、バルサ材、桐材、ラミン材などの木材から成る浮力部材と鉛などの金属錘と軸中心に挿着された内面に潤滑性を有する樹脂管より構成される。
【００１３】
前記投げ浮子において、釣り糸などを中通し得る前記樹脂管はフッ素樹脂、ナイロン樹脂、ポリプロピレン樹脂、ポリエチレン樹脂などの軟質の樹脂管とする。また、前記投げ浮子の浮力部材が軟質の場合は、軟質の樹脂管とガラス繊維や炭素繊維をパイプ状に樹脂成形した複合管や硬質塩化ビニル樹脂、アクリル樹脂などの硬質の樹脂管と二重管にする。
【００１４】
沈下力を有する疑似餌や中間錘の胴体は鉛、半田、アルミニューム合金などの金属の一種から成り、浮力を有する疑似餌の胴体は浮力を有する桐材、バルサ材、ラミン材などの木材、中空成形樹脂などの一部に鉛などの金属錘を内蔵する複数種の材料より構成される。釣り糸などを中通しする樹脂管はフッ素樹脂、ナイロン樹脂、ポリプロピレン樹脂、ポリエチレン樹脂などの軟質の樹脂管とし、胴体の厚肉部分の所望経路に数ｍｍ突出させて挿着され、必要に応じて防水処理、蛍光塗装、光反射塗装などをして仕上げる。
【発明の効果】
【００１５】
本発明の重い投げ浮子と軽い中間錘や疑似餌などを組合せることにより、投げる総重量を増し、１００ｍ前後の遠投を容易にする。特に、投げ浮子との組合せで任意の水深における集中的なシャクリ操作性を向上し、根掛りや摩擦劣化などによる釣り糸切れの不安を軽減し易くなる。さらに、巻き上げる時水面側に上昇し易いので魚を浮かせ、取りこみ性が向上する。その他、釣り針が固定されていない疑似餌は抵抗する魚に追随して釣り針だけが遊動するので、胴体の重量や大きさの影響を受け難く、釣り針が魚から外れ難い。従って、本発明の釣り具は投げ釣りに期待されている従来以上の遠投性能と操作性能を兼ね備え、釣りの成果の向上と釣り具産業の発展に寄与できる。
【発明を実施するための最良の形態】
【００１６】
以下に投げ浮子、中間錘、擬似餌、撒餌籠の実施例を基に、投げ釣りに期待されている性能を最大限に発揮する本発明の投げ釣り糸上の簡単な構造の釣り具及びその容易な製法を説明する。
【実施例１】
【００１７】
図１は本発明の投げ浮子と中間錘を組合せた実施例の断面図を示す。投げ釣りの道糸と呼ばれる釣り糸３ａは投げ浮子１ａに中通しし、沈下力を有する中間錘２を介して、釣り針仕掛け４ａに連なる。浮力を有する投げ浮子１ａの胴体は外径１５ｍｍないし２０ｍｍで、長さが約５００ｍｍの棒状とし、浮力部材５ａとその端部に鉛などの金属から成る金属錘６ａを具備し、軸中心に樹脂管７ａ、７ｂ、７ｃの中通し部材が挿着される。
【００１８】
内面に滑らかな潤滑面を有する樹脂管７ａ、７ｂ、７ｃの中通し部材はフッ素樹脂、ナイロン樹脂、ポリプロピレン樹脂、ポリエチレン樹脂などの樹脂管の一種、又は複数種を軸中心の挿入路に瞬間接着剤やエポキシ接着剤などを介して挿着する。その外面にはネジ溝加工やヤスリ加工などで粗面化しておくと接着面積が増し、挿着の固定強度が高まる。
【００１９】
前記浮力部材５ａが発泡スチロール、硬質発泡ウレタン、バルサ材、桐材などのように硬質の浮力部材５ａの場合は軟質の樹脂管７ａ、７ｂ、７ｃでも直線性を保持できるので内径４ｍｍないし６ｍｍとした単管のままで良い。しかし、約５００ｍｍと長い棒状の両端には摩擦や衝撃を最も激しく受けるので、両端のみ摩擦や衝撃を最も緩和するフッ素樹脂の樹脂管７ａ、７ｃとし、中間部を安価なポリエチレン樹脂の樹脂管７ｂなどにすると耐久性を維持しつつ、材料コストを抑制できる。
【００２０】
また、図１に示す中間錘２は鉛などの金属錘８に中通し金具９ａを挿通し、釣り針仕掛け４ａに連なる張り出し金具９ｂを具備する。金属錘８の挿通路には長さ約４００ｍｍ、線径を２ｍｍないし３ｍｍとした中通し金具９ａの直線状のステンレス線、形状記憶合金線、タングステン線などの金属線を挿通し、釣り糸側の張り出し金具９ｂは、例えば長さ約２００ｍｍ、線径約１ｍｍのステンレス線とする。中通し金具９ａを釣り針仕掛け側の張り出し金具９ｂより太く長くすると、重心がやや後方になり確実に一体化したまま飛行して遠投し易くなる。張り出し金具９ｂは水中沈下中の釣り針仕掛け４ａと釣り糸３ａとの絡みを防止し、釣り針仕掛け４ａにシャクリ操作のテコの作用で魚を誘う効果的な動きを与える。
【００２１】
中通し金具９ａの釣り糸の連結部は投げ浮子１ａの樹脂管７ａ、７ｂ、７ｃの内径より小さくし、張り出し金具９ｂとの連結部は金属錘８の挿通路の内径より大きくし、直線状に挿通された中通し金具９ａの巻取り側端部に釣り糸３を結束すると、投げ浮子１ａの樹脂管７ａ、７ｂ、７ｃに釣り糸３ａと共に中通し金具９ａを中通して遠投を容易にする。
【００２２】
例えば、錘負荷性能が約１００ｇの投げ竿や釣り糸で１００ｍ前後の遠投をする場合は、投げ浮子１ａの重量は６０ｇないし９０ｇの範囲とし、中間錘２、釣り針仕掛け４ａなどの重量は１０ｇないし２０ｇとして、投げ浮子１ａより三分の一以下の軽さにすると一体化したまま遠投し易く、重さによる根掛りも軽減する。
【実施例２】
【００２３】
図２は本発明の投げ浮子と従来のイカ釣りエギと呼ばれる疑似餌を組合せた実施例の断面図を示す。ＰＥラインと呼ばれるナイロン糸などの釣り糸３ｂは浮力を有する棒状の投げ浮子１ｂの樹脂管７ｄに中通して、スプリットリング、又はより戻しなどの連結具１１を介して疑似餌１２ａに連なる。
【００２４】
投げ浮子１ｂは浮力部材５ｂが軟質の発泡ウレタン、発泡ポリエチレン、スポンジゴムなどの場合は投げ浮子の直線性を保持し難いので、図２に示したように内面に滑らかな潤滑面を有する軟質のフッ素樹脂、ナイロン樹脂、ポリプロピレン樹脂、ポリエチレン樹脂などの樹脂管７ｄはガラス繊維や炭素繊維をパイプ状に樹脂成形した複合管、硬質塩化ビニル樹脂管、アクリル樹脂管などの硬質管１０で直線性を支持した二重管の中通し部材にする。
【００２５】
投げ浮子１ｂの金属錘６ｂは重量の調整がし易い鉛線を樹脂管７ｄ及び硬質管１０に巻きつけ接着しても良い。沈下力を有する疑似餌１２ａを沈下させる時、樹脂管７ｄの内径を約３ｍｍ以上にすれば、釣り糸３ｂを円滑に挿通できる。二重管した中通し部材も実施例１の場合と同様に、外面にネジ溝やヤスリ面のように粗面化すると確実に挿着できる。
【００２６】
また、図２の投げ浮子１ｂの重量も実施例１同様に使用する投げ竿や釣り糸の錘負荷を考慮して組合せる。つまり、投げ浮子１ｂの重量は沈下する擬似餌、中間錘、釣り針仕掛けなどの重量より約三倍以上重い方が、投入飛行中の釣り針仕掛けなどと一体化し易く遠投性を向上させる。
【００２７】
なお、図１及び図２には投げ浮子１ａ、１ｂと従来の釣り針仕掛け４やイカ釣りエギ１２ａの例を示したが、一般の軽いメタルジグやソフトルアー用ジグヘッドなどの釣り具にも広く応用できる。さらに、図２に示すように投げ釣り糸上のしもり浮子１３ａや浮止め１４を利用すると、狙いの水深で集中的なシャクリ操作が容易に出来る。
【００２８】
つまり、錘負荷性能が約１００ｇの投げ竿や釣り糸で１００ｍ前後の遠投をする場合は、投げ浮子の空気抵抗を考慮して外径は３０ｍｍ以下、全長を４００ｍｍないし５００ｍｍとし、重量は６０ｇないし９０ｇの範囲とする。そして、擬似餌、中間錘、釣り針仕掛けなどを１０ｇないし３０ｇとして総重量を約１００ｇに調整すると遠投し易い。
【実施例３】
【００２９】
図３には沈下力を有する本発明の疑似餌の実施例を示す。沈下力を有する胴体は鉛、半田、アルミニューム合金などの金属から成る。水深の深い場所を狙う場合は、同図のように胴体の上部の位置に釣り糸３ｃ釣り糸を挿入する樹脂管１７ａの突出部を有する。内面に滑らかな潤滑面を有するフッ素樹脂、ナイロン樹脂、ポリプロピレン樹脂、ポリエチレン樹脂などの樹脂管１７ａの内径が１ｍｍないし２ｍｍの挿着路は疑似餌１６ａが竿操作などで所望の波状に動くように設計され、薄肉部分１５ｂを避けて厚肉部分１５ａを滑らかに経由する経路とする。なお、浅い場所で小魚のように動かす場合は、釣り糸の挿入口は胴体の先端部が良い。そして、樹脂管１７ａを挿着された胴体は必要に応じて防水処理、蛍光塗装、光反射塗装などをして仕上げる。
【００３０】
釣り糸３ｃは前記樹脂管１７ａに中通しされ、釣り針１８ａはスプリットリング１９ａなどの連結具を介して連結される。その樹脂管１７ａは挿着路の出入り口より数ｍｍ突出させると釣り糸３ｃを円滑に案内し、衝撃吸収や摩擦防止などの効果が増す。なお、６０ｇ以上の重量を有する本発明の疑似餌１６ａは単独使用で１００ｍ前後の遠投性を有するが、１０ｇないし２０ｇ程度のように軽量の場合は、実施例１及び実施例２で説明した投げ浮子と組合せれば遠投性と操作性を高められる。
【実施例４】
【００３１】
図４には浮力を有する疑似餌の実施例を示す。浮力を有する胴体２０の一部には鉛などの金属錘２１を浮力を有する桐材やバルサ材などの木材、中空成形樹脂などに内蔵する。前記金属錘２１の内蔵位置により疑似餌１６ｂを巻き取る時の潜行深さを設定できる。例えば、１ｍ前後の潜行深さを狙う時は金属錘２１の位置を図４のように前方に内蔵させ、胴体前方が水面Ｓに潜るようにする。
【００３２】
また、胴体２０の樹脂管１７ｂの挿着路は疑似餌１６ｂが竿操作などで、波状に動くように所望の位置に釣り糸３ｄの出入り口を有するように設計され、厚肉部分を滑らかに経由する経路とする。この疑似餌１６ｂの内面に滑らかな潤滑面を有するフッ素樹脂、ナイロン樹脂、ポリプロピレン樹脂、ポリエチレン樹脂などの樹脂管１７ｂも挿着路の出入り口より数ｍｍ突出させると釣り糸３ｄなどを円滑に案内し、衝撃吸収や摩擦防止などの効果が増す。そして、樹脂管１７ｂを挿着された胴体２０は必要に応じて防水処理、蛍光塗装、光反射塗装などをして仕上げる。
【００３３】
図４に示した浮力を有する疑似餌１６ｂは実施例３で説明した沈下力を有する疑似餌より遠投性は低いが、細長くして後方重心の約４０ｇの胴体形状にすると、一般のルアー用投げ竿でも５０ｍ前後の遠投性を発揮する。
【００３４】
図３、及び図４に示した本発明の疑似餌１６ａ、１６ｂは、いずれも釣り針１８ａ、１８ｂは樹脂管１７ａ、１７ｂに中通しされた釣り糸３ｃ、３ｄにスプリットリングなどの連結具１９ａ、１９ｂを介して連結されている。従って、釣り針１８ａ、１８ｂが胴体に取付けられていない疑似餌１６ａ、１６ｂは胴体の自重や大きさの影響を受け難く、激しく抵抗する魚にも追随して釣り針１８ａ、１８ｂだけが遊動するので掛かった魚から外れ難い。
【実施例５】
【００３５】
図５は中通し金具を具備した本発明の撒餌籠の断面図を示す。撒餌籠２２ａの中通し金具２４ａは撒餌を収納する円筒状金網などの籠２３の中心に設けられた挿通路２５ａ、２５ｂに挿通する。例えば、釣り糸３ｅと釣り針仕掛け４ｂは長さ約４００ｍｍ、線径１ｍｍないし３ｍｍのステンレス線、形状記憶合金線、タングステン線などの金属線を介する中通し金具２４ａと長さ約２００ｍｍの張り出し金具２４ｂで連結する。
【００３６】
中通し金具２４ｂの釣り針仕掛け側の連結部２６ａは前記挿通路２５ａ、２５ｂ内径より大きくし、釣り糸側の連結部２６ａを実施例１、及び実施例２で説明した投げ浮子の樹脂管の内径より小さくした連結部にすると、投げ浮子の内面に滑らかな潤滑面を有する樹脂管に中通し金具２４ｂを中通し得るので、投入時に一体化し遠投し易くなる。
【００３７】
なお、中通し金具２４ｂの金属線を釣り針仕掛け側の張り出し金具２４ｂより太く長くして挿通させ、釣り糸側の連結部２６ａは釣りの対象魚に応じて釣り糸３ｅや釣り針仕掛けを連結する通し孔、丸環、より戻し構造などから選択する。さらに、釣り針仕掛け側の張り出し金具２４ｂを弓形に張り出させると、投げ釣りに期待されている絡み防止などの性能が向上する。また、魚を誘うシャクリ操作でもテコの作用で魚を誘う効果的な動きを与える。
【実施例６】
【００３８】
図６は本発明の釣り具の使用例を説明する縦断面図を示す。イカ釣りの場合は釣り糸３ｆを本発明の投げ浮子１ｃに中通しして連結された沈下力を有するイカ釣りエギと呼ばれる疑似餌１２ｂは、釣り竿でシャクリ上げると水面Ｓ付近の投げ浮子１ｃを介しているので実線の矢印のように上昇する。その時、可撓性のある投げ浮子１ｃは図示したように瞬間的に撓み、その端部に生じるシャクリ操作の摩擦や衝撃を緩和する。
【００３９】
さらに、釣り糸３ｆを緩めたり、送り出すと投げ浮子１ｃは元の直線状あるいは棒状に復元し、疑似餌１２ｂは点線の矢印のように自然沈下する。浮止めで狙いの水深を設定されたしもり浮子１３ｂを利用すると、従来のように仕掛けを底を引きずらず狙いの水深でシャクリ操作ができ、水底Ｂ、岩礁Ｒ、及び藻類Ｍにも根掛かりし難い。
【００４０】
また、釣り針仕掛け４ｃに連なる本発明の撒餌籠２２ｂは釣り糸３ｇと中通し金具２４ｃを中通し得る投げ浮子１ｄを経由して連結される。浮止めで位置決めされたしもり浮子１３ｃを利用すると、竿操作で投げ浮子１ｄを介して撒餌籠２２ｂや釣り針仕掛け４ｃを実線の矢印のようにシャクリ上げたり、点線の矢印のように自然沈下させて集中的な撒餌と誘い操作ができる。
【００４１】
さらに、樹脂管の中通し部材を挿着し、前方重心とした沈下力を有する本発明の疑似餌１２ｃは単体でも使用でき、釣り糸３ｈを竿操作などで巻き上げたり、緩めたりすると疑似餌１２ｃは実線の矢印のように上昇したり、点線のように自然沈下して波状に動き、魚を効果的に誘う操作がし易い。
【００４２】
前述のように、本発明の釣り具は釣り糸などを中通し得る内面に滑らかな潤滑面を有する樹脂管の中通し部材、又は前記中通し部材に中通し得る中通し金具を具備した簡単な胴体構造により、釣り具を組合せて総重量を増すことが出来、切れ難い太さの釣り糸で安心して狙い通りの遠投性能や操作性能を発揮する。
【図面の簡単な説明】
【００４３】
【図１】釣り針仕掛けと本発明の投げ浮子と中間錘を組合せた断面図を示す。（実施例１）
【図２】イカ釣りエギと本発明の投げ浮子を組合せた断面図を示す。（実施例２）
【図３】釣り針仕掛けと沈下力を有する本発明の疑似餌の断面図を示す。（実施例３）
【図４】釣り針仕掛けと浮力を有する本発明の疑似餌の断面図を示す。（実施例４）
【図５】餌釣り仕掛けに連なる本発明の撒餌籠の断面図を示す。（実施例５）
【図６】本発明の当該釣り具の使用例を説明する断面図を示す。（実施例６）
【符号の説明】
【００４４】
１ａ、１ｂ、１ｃ、１ｄ  投げ浮子
２  中間錘
３ａ、３ｂ、３ｃ、３ｅ、３ｄ、３ｆ、３ｆ、３ｇ、３ｈ  釣り糸
４ａ、４ｂ、４ｃ  釣り針仕掛け
５ａ、５ｂ  浮力部材
６ａ、６ｂ  金属錘
７ａ、７ｂ、７ｃ、７ｄ、１７ａ、１７ｂ  樹脂管
１２ａ、１２ｂ、１２ｃ  擬似餌
２２ａ、２２ｂ  撒餌籠
９ａ、２４ａ、２４ｃ  中通し金具
【図１】
2004275181.tif 000003
【図２】
2004275181.tif 000004
【図３】
2004275181.tif 000005
【図４】
2004275181.tif 000006
【図５】
2004275181.tif 000007
【図６】
2004275181.tif 000008